(57)【要約】【課題】軽量薄型の光源装置を提供する。【解決手段】光源装置５は照明取付器具に着脱可能に取り付けられて使用され、筐体５５と、筐体５５内に配置された少なくとも一つの光源ユニット５０ａ，５０ｂと、筐体５５内に配置され、交流商用電源から供給される電力を光源ユニット５０ａ，５０ｂ用の電力を生成する点灯回路ユニット５１とを備える。【選択図】図１
2019021475.tif 000002
【特許請求の範囲】
【請求項１】
照明取付器具に着脱可能に取り付けられる光源装置において、
筐体と、
前記筐体内に配置された、少なくとも一つの光源ユニットと、
前記筐体内に配置され、交流商用電源から供給される電力を前記光源ユニット用の電力を生成する点灯回路ユニットと
を備える光源装置。
【請求項２】
前記少なくとも一つの光源ユニットは、第１および第２の長尺状の光源ユニットを含み、
前記点灯回路ユニットは、前記第１および第２の長尺状の光源ユニットの間に配置される
請求項１に記載の光源装置。
【請求項３】
前記点灯回路ユニットは、前記照明取付器具への前記筐体の取り付けに応答して、前記交流商用電源から供給される電力を点灯回路に投入し、前記照明取付器具からの前記筐体の取り外しに応答して、前記交流商用電源から供給される電力を遮断するための電子部品を備える
請求項１又は２に記載の光源装置。
【請求項４】
前記電子部品は、押しボタンを有するスイッチであり、
前記筐体は、前記照明取付器具による前記押しボタンの押圧を可能とするための貫通孔を有し、
前記押しボタンは、前記貫通孔を通じて前記筐体の外部に突出している
請求項３に記載の光源装置。
【請求項５】
前記電子部品は、前記筐体の前記照明取付器具への取り付け、前記筐体の前記照明取付器具からの取り外し、または、その両方を検出するセンサから送信された信号に基づいて制御されるスイッチである
請求項３に記載の光源装置。
【請求項６】
前記電子部品は、前記照明取付器具に実装されたコネクタ受け部に適合するコネクタであり、
前記コネクタは、前記筐体が前記照明取付器具に取り付けられた状態において前記筐体における前記コネクタ受け部に面し、前記コネクタ受け部に受け入れられ、
前記コネクタの前記コネクタ受け部に対する挿抜方向は、前記筐体の前記照明取付器具に対する着脱方向と略一致する、
請求項３に記載の光源装置。
【発明の詳細な説明】
【技術分野】
【０００１】
本発明は、照明取付器具に着脱可能に取り付けられる光源装置に関する。
【背景技術】
【０００２】
特許文献１は、器具設置部材と、器具設置部材に着脱可能に取り付けられる光源ユニットとを備えた照明器具を開示している。光源ユニットは、取付部材と、光源基板と、光源カバーと、端部カバーと、点灯装置と、を備えており、これらが一体化されたものである。器具設置部材は、光源ユニットの取付部材を受け入れ可能な、取付部材と同一寸法同一形状に形成された取付開口を有する。光源ユニットの取付部材が器具設置部材の取付開口に嵌め込まれることにより、光源ユニットが器具設置部材に取り付けられる。
【０００３】
特許文献１の器具設置部材は明細書中の「照明取付器具」に相当し、光源ユニットは明細書中の「光源装置」に相当し、点灯装置は明細書中の「点灯回路ユニット」に相当する。以下、明細書の用語を利用する。
【先行技術文献】
【特許文献】
【０００４】
【特許文献１】特開２０１７−６３０１０号公報
【発明の概要】
【発明が解決しようとする課題】
【０００５】
特許文献１に記載された光源装置では、点灯回路ユニットが光源基板の裏側の金属筐体に収容されているため、光源装置全体が重く、大きい。
【０００６】
本発明は、このような事情に鑑みてなされたものであって、軽量薄型の光源装置を提供することを目的とする。
【課題を解決するための手段】
【０００７】
上記課題を解決するために、本発明の一態様に係る光源装置は、照明取付器具に着脱可能に取り付けられる光源装置において、筐体と、前記筐体内に配置された、少なくとも一つの光源ユニットと、前記筐体内に配置され、交流商用電源から供給される電力を前記光源ユニット用の電力を生成する点灯回路ユニットとを備える。
【発明の効果】
【０００８】
本発明によれば、点灯回路ユニットは、筐体内に配置されるので、金属筐体への収容を要しない。これにより、光源装置を軽量薄型にすることができる。
【図面の簡単な説明】
【０００９】
【図１】本発明の第１実施形態に係る光源装置の斜視図であり、（ａ）は光源装置の全体を示し、（ｂ）は透光性カバーが取り除かれた状態の光源装置を示す。
【図２】図１に示される光源装置の横断面図である。
【図３】本発明の第１実施形態の第１変形例に係る光源装置の横断面図である。
【図４】本発明の第１実施形態の第２変形例に係る光源装置の横断面図である。
【図５】本発明の第１実施形態の第３変形例に係る光源装置の横断面図である。
【図６】本発明の第１実施形態の第４変形例に係る光源装置の横断面図である。
【図７】本発明の第２実施形態に係る光源装置の斜視図である。
【図８】図７に示される光源装置の電気回路図である。
【図９】本発明の第２実施形態の第１変形例に係る光源装置の電気回路図である。
【図１０】本発明の第２実施形態の第２変形例に係る光源装置の電気回路図である。
【図１１】本発明の第２実施形態の第３変形例に係る光源装置の斜視図である。
【図１２】本発明の第２実施形態の第４変形例に係る光源装置の斜視図であり、（ａ）は光源装置が照明取付器具に取り付けられた状態を示し、（ｂ）は照明取付器具単体を示し、（ｃ）は光源装置単体を示す。
【図１３】図１２の照明取付器具に設置される操作具の斜視図である。
【発明を実施するための形態】
【００１０】
＜概要＞
一態様に係る光源装置は、照明取付器具に着脱可能に取り付けられる光源装置において、筐体と、前記筐体内に配置された、少なくとも一つの光源ユニットと、前記筐体内に配置され、交流商用電源から供給される電力を前記光源ユニット用の電力を生成する点灯回路ユニットとを備える。
別態様に係る光源装置において、前記少なくとも一つの光源ユニットは、第１および第２の長尺状の光源ユニットを含み、前記点灯回路ユニットは、前記第１および第２の長尺状の光源ユニットの間に配置される。これにより、光源装置の小型化を図ることができる。
別態様に係る光源装置において、前記点灯回路ユニットは、前記照明取付器具への前記筐体の取り付けに応答して、前記交流商用電源から供給される電力を点灯回路に投入し、前記照明取付器具からの前記筐体の取り外しに応答して、前記交流商用電源から供給される電力を遮断するための電子部品を備える。これにより、取り付け中に点灯回路に電力が投入されることがなくなる。
別態様に係る光源装置において、前記電子部品は、押しボタンを有するスイッチであり、前記筐体は、前記照明取付器具による前記押しボタンの押圧を可能とするための貫通孔を有し、前記押しボタンは、前記貫通孔を通じて前記筐体の外部に突出している。これにより、取り付け中に電力が投入されない装置を容易に実施できる。
別態様に係る光源装置において、前記電子部品は、前記筐体の前記照明取付器具への取り付け、前記筐体の前記照明取付器具からの取り外し、または、その両方を検出するセンサから送信された信号に基づいて制御されるスイッチである。これにより、取り付け中に電力が投入されない装置を容易に実施できる。
別態様に係る光源装置において、前記電子部品は、前記照明取付器具に実装されたコネクタ受け部に適合するコネクタであり、前記コネクタは、前記筐体が前記照明取付器具に取り付けられた状態において前記筐体における前記コネクタ受け部に面し、前記コネクタ受け部に受け入れられ、前記コネクタの前記コネクタ受け部に対する挿抜方向は、前記筐体の前記照明取付器具に対する着脱方向と略一致する。これにより、取り付け中に電力が投入されない装置を容易に実施できる。
【００１１】
＜第１実施形態＞
図１（ａ）および図１（ｂ）に示される通り、光源装置５は、長尺状の筐体５５を備える。筐体５５は、外周壁を有し、外周壁の少なくとも一部が透光性を呈する。筐体５５は、外周壁の一部をなす長尺状のベース５５１と、外周壁の残りの一部をなす長尺状の透光性カバー５５２とを備える。ベース５５１は、後述の通り、第１光源ユニット５０ａ、第２光源ユニット５０ｂおよび点灯回路ユニット５１を保持する。透光性カバー５５２は、ベース５５１に被せられ、固定具（ねじ）５７３によりベース５５１に固定される。筐体５５は、さらに、それぞれが筐体５５の長手方向の両端の開口を閉塞する２つの端部カバー５５３を備える。
【００１２】
ベース５５１は、例えば、金属または樹脂からなる。金属としては、例えば、アルミニウム、アルミニウム合金、スチールが利用可能である。樹脂としては、例えば、ポリカーボネート、エポキシ、ポリイミド、ポリブチルテレフタレートが利用可能である。樹脂は、耐熱性を重視して選定されることが好ましい。これは、第１光源ユニット５０ａ、第２光源ユニット５０ｂおよび点灯回路ユニット５１が発熱するからである。また、高反射剤を混入した樹脂を用いることにより反射機能を付与しても良い。
【００１３】
透光性カバー５５２は、例えば、樹脂またはガラスからなる。樹脂としては、例えば、ポリカーボネート、アクリル、ポリプロピレンが利用可能である。樹脂は、耐熱性と共に透光性を重視して選定されることが好ましい。更に、拡散剤を混入させて乳白色または白色透明とすることが好ましい。
【００１４】
光源装置５は、さらに、長尺状の第１光源ユニット５０ａおよび長尺状の第２光源ユニット５０ｂを備える。第１光源ユニット５０ａおよび第２光源ユニット５０ｂは、筐体５５内に配置され、それぞれ筐体５５の長手方向に沿い、かつ、筐体５５の長手方向に直交する方向（以下、「幅方向」という）に離間して位置している。第１光源ユニット５０ａは、長尺状のＬＥＤ基板５０１と、複数のＬＥＤ素子５０３とを備える。複数のＬＥＤ素子５０３は、ＬＥＤ基板５０１の長手方向に沿って一定間隔でＬＥＤ基板５０１上に配列される。第２光源ユニット５０ｂは、第１光源ユニット５０ａと同一構造を有する。
【００１５】
第１光源ユニット５０ａの各ＬＥＤ素子５０３は、筐体５５の長手方向の位置に関して、第２光源ユニット５０ｂの何れかのＬＥＤ素子５０３と同じ位置にある。すなわち、第１光源ユニット５０ａのＬＥＤ素子５０３と、それに対応する第２光源ユニット５０ｂのＬＥＤ素子５０３とが、筐体５５の幅方向に平行な仮想線上に位置する。ただし、これに限らず、第１光源ユニット５０ａの各ＬＥＤ素子５０３が、筐体５５の長手方向の位置に関して、第２光源ユニット５０ｂの何れかの隣接ＬＥＤ素子５０３の中間位置と同じ位置にあることとしてもよい。例えば、第１光源ユニット５０ａのＬＥＤ素子５０３と、これに対応する第２光源ユニット５０ｂの隣接ＬＥＤ素子５０３の中間位置とが、筐体５５の幅方向に平行な仮想線上に位置することとしてもよい。光源装置５は、少なくとも一つの光源ユニットを備えていればよい。光源装置５が、一つの光源ユニットを備えてもよく、３以上の光源ユニットを備えていてもよい。
【００１６】
光源装置５は、さらに、長尺状の点灯回路ユニット５１を備える。点灯回路ユニット５１は、筐体５５内に配置されている。ここでは、点灯回路ユニット５１は、筐体５５の長手方向に沿って、第１光源ユニット５０ａおよび第２光源ユニット５０ｂの間に配置される。点灯回路ユニット５１は、長尺状の回路基板５１４と、回路基板５１４上に実装された複数の電子部品５１３とを備える。回路基板５１４は、複数の電子部品５１３と共同して点灯回路を形成するための配線パターンを備える。点灯回路は、第１光源ユニット５０ａおよび第２光源ユニット５０ｂの点灯に適した電流をそれらに供給する回路であり、例えば、定電流電源回路である。点灯回路ユニット５１は、ベース５５１の貫通孔５１７を通過するケーブルを介して照明取付器具又は外部電源に接続される。また、点灯回路ユニット５１は、別のケーブルを介して第１光源ユニット５０ａおよび第２光源ユニット５０ｂに接続される。
【００１７】
光源装置５は、さらに、照明取付器具に光源装置５を着脱可能に取り付けるための２つの取付具５９１を備える。照明取付器具は、例えば、部屋の天井面のような、光源装置５の被取付面に設置されて、一つまたは複数の光源装置５を着脱可能に保持するアダプターである。一例として、照明取付器具は、長尺状であり、一つの光源装置５を保持する。別の例として、照明取付器具は、矩形状（長方形または正方形）であり、複数の光源装置５を保持する。複数の光源装置５は、一列または複数列に並べられる。更に別の例として、照明取付器具は、矩形状であり、光源装置５もそれに対応した矩形状であっても良い。この場合、光源ユニットは上記と同様に長尺状のものを複数並べることにより全体として矩形状を形成するようにしても良いし、マトリクス状にＬＥＤ素子が配置された矩形状の光源ユニットを１つまたは複数備えるようにしても良い。
【００１８】
図２は、光源装置５の横断面図である。ただし、図面の見やすさを優先して、端部カバー５５３および取付具５９１の図示が省略されている。透光性カバー５５２は、平坦な前面部６０１、第１側面部６０３ａおよび第２側面部６０３ｂを含む。第１側面部６０３ａは、前面部６０１に連なり、その中央付近に第１ベース用レール６０５ａを有する。第２側面部６０３ｂは、前面部６０１に連なり、その中央付近に第２ベース用レール６０５ｂを有する。第２側面部６０３ｂは、第１側面部６０３ａの形状を左右反転させた形状を有する。第１ベース用レール６０５ａは、第１突出片６０９ａ、第２突出片６１１ａおよびそれらの間にある中間部６０７ａを含む。第１ベース用レール６０５ａは、中間部６０７ａ、第１突出片６０９ａおよび第２突出片６１１ａにより囲まれる内部空間を有するとともに、第１突出片６０９ａおよび第２突出片６１１ａのそれぞれの先端の間の開口を有する。この開口の幅は、内部空間の幅よりも狭い。
【００１９】
同様に、第２ベース用レール６０５ｂは、第１突出片６０９ｂ、第２突出片６１１ｂおよびそれらの間の中間部６０７ｂを含む。第２ベース用レール６０５ｂも、第１ベース用レール６０５ａと同様に、内部空間および開口を有する。
【００２０】
第１ベース用レール６０５ａは、筐体５５の長手方向に沿って筐体５５の端から端まで延在する。ただし、これに限らず、第１ベース用レール６０５ａは、筐体５５の端から端までの一部分に延在してもよい。第２ベース用レール６０５ｂについても同様である。
【００２１】
ベース５５１は、第１光源ユニット５０ａを保持するための第１光源保持部と、第２光源ユニット５０ｂを保持するための第２光源保持部を備える。ここでは、第１光源保持部は第１光源用レール６１３ａにより、第２光源保持部は第２光源用レール６１３ｂによりそれぞれ構成される。第１光源用レール６１３ａは、光源台座部６１９ａ、第３突出片６２１ａおよび第４突出片６２３ａを含む。光源台座部６１９ａは、第３突出片６２１ａおよび第４突出片６２３ａの間にあり、平坦である。第３突出片６２１ａは、光源台座部６１９ａから垂直に突出する縦リブ部分と、縦リブ部分の上端部（光源台座部６１９ａと反対側である）に位置し光源台座部６１９ａに平行な横リブ部分とを含む。第４突出片６２３ａは、光源台座部６１９ａから垂直に突出する縦リブ部分と、縦リブ部分の上端部に位置し光源台座部６１９ａに平行な横リブ部分とを含む。
【００２２】
第１光源用レール６１３ａは、光源台座部６１９ａ、第３突出片６２１ａおよび第４突出片６２３ａにより囲まれる内部空間を有するとともに、第３突出片６２１ａの横リブ部分と第４突出片６２３ａの横リブ部分との間の開口を有する。第１光源用レール６１３ａは、その内部空間に第１光源ユニット５０ａのＬＥＤ基板５０１を収容し、その開口を通じて第１光源ユニット５０ａのＬＥＤ素子５０３を露出させる。
【００２３】
第１光源ユニット５０ａのＬＥＤ基板５０１は、光源台座部６１９ａに接触する。これにより、第１光源ユニット５０ａから生じた熱が、効率的にベース５５１に伝搬される。
【００２４】
第１光源用レール６１３ａの内部空間のサイズは、ＬＥＤ基板５０１のサイズよりも僅かに大きい。これは、第１光源ユニット５０ａがベース５５１に実装される際に有用である。内部空間のサイズがＬＥＤ基板５０１のサイズよりも大きいので、第１光源ユニット５０ａが第１光源用レール６１３ａ内をスライド可能となる。さらに、それらのサイズの差が僅かなので、第１光源ユニット５０ａの内部空間内での位置ずれを小さくできる。
【００２５】
第１光源ユニット５０ａは、第１光源用レール６１３ａに収容されることにより、ベース５５１に保持される。これに加えて、または、これに代えて、固定具（ねじ）により第１光源ユニット５０ａがベース５５１に保持されてもよい。
【００２６】
第２光源用レール６１３ｂは、光源台座部６１９ｂ、第３突出片６２１ｂおよび第４突出片６２３ｂを含む。第２光源用レール６１３ｂは、第１光源用レール６１３ａと同一構造を有する。
【００２７】
第１光源用レール６１３ａは、筐体５５の長手方向に沿って筐体５５の端から端まで延在する。ただし、これに限らず、第１光源用レール６１３ａは、筐体５５の端から端までの一部分に延在してもよい。第２光源用レール６１３ｂについても同様である。
【００２８】
ベース５５１は、さらに、第１光源用レール６１３ａおよび第２光源用レール６１３ｂの間に、点灯回路ユニット５１を保持するための点灯回路用保持部を備える。ここでは、点灯回路用保持部は点灯回路用レール６１５により構成される。点灯回路用レール６１５は、点灯回路台座部６２５、第５突出片６２７および第６突出片６２９を含む。点灯回路台座部６２５は、回路基板５１４の幅方向の両端で回路基板５１４に部分的に接触する部分と、それらの間にあり回路基板５１４から離間した部分とを含む。第５突出片６２７は、ベース５５１の垂壁部分から突出する横リブである。同様に、第６突出片６２９は、ベース５５１の垂壁部分から突出する横リブである。
【００２９】
点灯回路用レール６１５は、点灯回路台座部６２５、第５突出片６２７および第６突出片６２９により囲まれる内部空間を有するとともに、第５突出片６２７と第６突出片６２９との間の開口を有する。点灯回路用レール６１５は、その内部空間に点灯回路ユニット５１の回路基板５１４を収容し、その開口を通じて点灯回路ユニット５１の複数の電子部品５１３を露出させる。
【００３０】
点灯回路ユニット５１の回路基板５１４は、その両端において点灯回路台座部６２５に接触する。これにより、点灯回路ユニット５１から生じた熱が、効率的にベース５５１に伝搬される。また、点灯回路ユニット５１の回路基板５１４は、その中央において点灯回路台座部６２５から離間している。これにより、回路基板５１４の裏面の突起（例えば、配線パターンおよび半田）がベース５５１に接触するのを防止できる。
【００３１】
点灯回路用レール６１５の内部空間のサイズは、回路基板５１４のサイズよりも僅かに大きい。これは、点灯回路ユニット５１がベース５５１に実装される際に有用である。内部空間のサイズが回路基板５１４のサイズよりも大きいので、点灯回路ユニット５１が点灯回路用レール６１５内をスライド可能となる。さらに、それらのサイズの差が僅かなので、点灯回路ユニット５１の内部空間内での位置ずれを小さくできる。
【００３２】
点灯回路ユニット５１は、点灯回路用レール６１５に収容されることにより、ベース５５１に保持される。これに加えて、または、これに代えて、固定具（ねじ）により点灯回路ユニット５１がベース５５１に保持されてもよい。
【００３３】
点灯回路用レール６１５は、筐体５５の長手方向に沿って筐体５５の端から端まで延在する。ただし、これに限らず、点灯回路用レール６１５は、筐体５５の端から端までの一部分に延在してもよい。
【００３４】
第１光源ユニット５０ａは、第２光源ユニット５０ｂと共に第１の仮想平面上に位置する。ここでの第１の仮想平面は光源台座部６１９ａおよび光源台座部６１９ｂの内面を含む平面である。第１光源ユニット５０ａおよび第２光源ユニット５０ｂのそれぞれの光出射方向は、第１の仮想平面に略垂直である。点灯回路ユニット５１は、第１の仮想平面に平行で、かつ、第１の仮想平面よりも後退した位置にある第２の仮想平面上に位置する。すなわち、点灯回路ユニット５１は、第１の仮想平面に垂直な方向に関し、第１光源ユニット５０ａおよび第２光源ユニット５０ｂに比べて、透光性カバー５５２から遠い位置にある。これにより、点灯回路ユニット５１が第１光源ユニット５０ａおよび第２光源ユニット５０ｂからの出射光を遮ることを回避または低減できる。ここでの第２仮想平面は、点灯回路台座部６２５の回路基板５１４への接触面を含む面である。第１光源ユニット５０ａおよび第２光源ユニット５０ｂから透光性カバー５５２に至る光路よりも低い位置に電子部品５１３が配置されるように、点灯回路ユニット５１が位置する第２の仮想平面が設定される。これにより透光性カバー５５２に電子部品５１３の影が出ることがない。
【００３５】
ベース５５１は、さらに、第１ベース用レール６０５ａに嵌合する第１嵌合片６１７ａおよび第２ベース用レール６０５ｂに嵌合する第２嵌合片６１７ｂを備える。上述の通り、第１ベース用レール６０５ａは、内部空間および開口を有する。第１嵌合片６１７ａは、第１ベース用レール６０５ａの内部空間に収容される。第２嵌合片６１７ｂは、第１嵌合片６１７ａと同様に、第２ベース用レール６０５ｂの内部空間に収容される。
【００３６】
第１ベース用レール６０５ａの内部空間のサイズは、第１嵌合片６１７ａのサイズよりも僅かに大きい。同様に、第２ベース用レール６０５ｂの内部空間のサイズは、第２嵌合片６１７ｂのサイズよりも僅かに大きい。これは、透光性カバー５５２がベース５５１に装着される際に有用である。内部空間のサイズが第１嵌合片６１７ａよりも大きいので、第１嵌合片６１７ａが第１ベース用レール６０５ａ内をスライド可能となる。内部空間のサイズが第２嵌合片６１７ｂよりも大きいので、第２嵌合片６１７ｂが第２ベース用レール６０５ｂ内をスライド可能となる。さらに、それらのサイズの差が僅かなので、第１嵌合片６１７ａおよび第２嵌合片６１７ｂの内部空間での位置ずれを小さくできる。
【００３７】
第１嵌合片６１７ａおよび第２嵌合片６１７ｂがそれぞれ第１ベース用レール６０５ａおよび第２ベース用レール６０５ｂに収容されることにより、透光性カバー５５２がベース５５１に保持される。これに加えて、固定具（ねじ）５７３により透光性カバー５５２がベース５５１に固定される。ただし、これに限らず、固定具５７３のみにより透光性カバー５５２がベース５５１に固定されてもよい。
【００３８】
筐体５５は、第１光源用レール６１３ａの背後に、透光性カバー５５２の第１側面部６０３ａとベース５５１の垂壁部分とで挟まれた空間６３５ａを有する。同様に、筐体５５は、第２光源用レール６１３ｂの背後に、透光性カバー５５２の第２側面部６０３ｂとベース５５１の垂壁部分とで挟まれた空間６３５ｂを有する。光源装置５が照明取付器具に取り付けられた際には、空間６３５ａおよび空間６３５ｂは密閉される。これらの空間６５３ａおよび空間６５３ｂは、点灯回路ユニット５１と照明取付器具又は外部電源とを接続するケーブル７８７を収容する空間として利用可能である。
【００３９】
以上説明した通り、点灯回路ユニット５１は、筐体内に配置されるので、金属筐体への収容を要しない。これにより、光源装置５を軽量薄型にすることができる。
【００４０】
＜第１実施形態の変形例＞
図２に示される光源装置５では、第１光源ユニット５０ａおよび第２光源ユニット５０ｂは第１の仮想平面上に配される。点灯回路ユニット５１は、第１の仮想平面よりも後退した位置にある第２の仮想平面上に配される。すなわち、点灯回路ユニット５１は、第１の仮想平面に垂直な方向に関し、第１光源ユニット５０ａおよび第２光源ユニット５０ｂに比べて、透光性カバー５５２よりも遠い位置に配される。しかしながら、これに限らず、点灯回路ユニット５１は、第１の仮想平面に垂直な方向に関し、第１光源ユニット５０ａおよび第２光源ユニット５０ｂに比べて、透光性カバー５５２に近い位置に配されてもよい。
【００４１】
図３に示される光源装置５ａでは、点灯回路ユニット５１は、第１の仮想平面よりも前進した第３の仮想平面上に配される。すなわち、点灯回路ユニット５１は、第１の仮想平面に垂直な方向に関し、第１光源ユニット５０ａおよび第２光源ユニット５０ｂに比べて、透光性カバー５５２に近い位置に配される。この構造を実現するため、点灯回路台座部６７５は、光源台座部６１９ａおよび光源台座部６１９ｂよりも前進した位置に配される。これにより、ベース５５１ａを略平坦にすることができ、そのため、光源装置５ａの意匠性をより高めることができる。また、成形型の構造を簡易化できる。
【００４２】
さらに、図３に示された光源装置５ａでは、筐体５５ａの幅方向に関し、第１光源ユニット５０ａは、点灯回路ユニット５１から離れた位置にある。同様に、筐体５５ａの幅方向に関し、第２光源ユニット５０ｂは、点灯回路ユニット５１から離れた位置にある。この構造を実現するため、第１光源用レール６６３ａの第４突出片６２３ａの縦リブ部分と点灯回路用レール６６５の第５突出片６７７の縦リブ部分とが、筐体５５ａの幅方向に離間している。同様に、第２光源用レール６６３ｂの第４突出片６２３ｂの縦リブ部分と点灯回路用レール６６５の第６突出片６７９の縦リブ部分とが、筐体５５ａの幅方向に離間している。これにより、点灯回路ユニット５１が第１光源ユニット５０ａおよび第２光源ユニット５０ｂからの出射光を遮ることを回避または低減できる。
【００４３】
図４に示される光源装置５ｂでは、点灯回路ユニット５１は、第１光源ユニット５０ａおよび第２光源ユニット５０ｂよりも後退した位置に配される。加えて、筐体５５ｂの幅方向に関し、第１光源ユニット５０ａは、点灯回路ユニット５１から離れた位置にある。同様に、筐体５５ｂの幅方向に関し、第２光源ユニット５０ｂは、点灯回路ユニット５１から離れた位置にある。これにより、点灯回路ユニット５１が第１光源ユニット５０ａおよび第２光源ユニット５０ｂからの出射光を遮ることを回避または低減できる。
【００４４】
図５に示される光源装置５ｃは、第１光源ユニット５０ａおよび第２光源ユニット５０ｂの間に配置されて点灯回路ユニット５１を覆う光反射カバー７８１を備える。これにより、第１光源ユニット５０ａおよび第２光源ユニット５０ｂからの出射光を効率的に利用できる。特にベース５５１が光反射性の材料で形成される場合、あるいは、ベース５５１が光反射シートで覆われている場合には、光反射カバー７８１は光反射性材料や光反射シートと同等の反射率を有するため反射ムラが生じ難くなる。
【００４５】
光反射カバー７８１は、第１層７８３と、第１層７８３を被覆する第２層７８５とを含む。第１層７８３は、光反射カバー７８１の形状を規定する。第２層７８５は、光反射材からなる。ただし、これに限らず、光反射カバー７８１は、単一層で形成されてもよい。
【００４６】
光反射カバー７８１は、筐体５５ｃの長手方向に沿って筐体５５の端から端まで延在する。これにより、出射光の効率的な利用をより促進することができる。また、長手方向の輝度ムラを少なくできる。ただし、これに限らず、光反射カバー７８１は、筐体５５ｃの端から端までの一部分に延在してもよい。光反射カバーに代えて、光反射シートを採用してもよい。
【００４７】
図６に示される光源装置５ｄは、点灯回路ユニット５１に接続されたケーブル７８７を筐体５５ｄに備える。ケーブル７８７は、第１光源ユニット５０ａおよび第２光源ユニット５０ｂの間に配置される。ケーブル７８７は、複数の被覆線７８７ａと、複数の被覆線７８７ａをまとめて被覆する共通被覆７８７ｂとを含む。すなわち、ケーブル７８７の各芯線は、二重に絶縁被覆されている。このようなケーブルとしては、例えば、ＶＶＦケーブルが利用可能である。これにより、ケーブル７８７の電気絶縁性を高めることができる。
【００４８】
図６に示される通り、複数の被覆線７８７ａは、第１光源ユニット５０ａおよび第２光源ユニット５０ｂが配された第１仮想平面に平行な仮想平面上に配される。これにより、ケーブル７８７が第１光源ユニット５０ａおよび第２光源ユニット５０ｂからの出射光を遮ることを回避または低減できる。
【００４９】
さらに、光源装置５ｄは、第１光源ユニット５０ａおよび第２光源ユニット５０ｂの間に配置されてケーブル７８７を覆う光反射カバー７８９を備える。これにより、第１光源ユニット５０ａおよび第２光源ユニット５０ｂからの出射光を効率的に利用できる。
【００５０】
光反射カバー７８９は、筐体５５ｄの長手方向に沿って筐体５５ｄの端から端まで延在する。これにより、長手方向の輝度ムラを少なくできる。ただし、これに限らず、光反射カバー７８９は、筐体５５ｄの端から端までの一部分に延在してもよい。光反射カバーに代えて、光反射シートを採用してもよい。
上述の例では、ＬＥＤ基板５０１と回路基板５１４は分離しているが、これに限らず、それらが一体でもよい。すなわち、１枚の基板が、複数のＬＥＤ素子５０３および複数の電子部品５１３を実装してもよい。また、複数のＬＥＤ素子５０３および複数の電子部品５１３を実装した基板と、複数のＬＥＤ素子５０３を実装した基板との両方を採用してもよい。
【００５１】
＜第２実施形態＞
図７に第２実施形態の光源装置５ｅを示す。以下、第１実施形態と異なる点を説明する。光源装置５ｅの点灯回路ユニットは、照明取付器具への筐体５５ｅの取り付けに応答して、交流商用電源から供給される電力を点灯回路に投入し、照明取付器具からの筐体５５ｅの取り外しに応答して、交流商用電源から供給される電力を遮断するための電子部品を備える。このような電子部品は、例えば、押しボタンを有するスイッチ５１９である。筐体５５ｅのベース５５１は、貫通孔５３７を有する。スイッチ５１９の押しボタンは、貫通孔５３７を通じて筐体５５ｅの外部に突出する。
【００５２】
図８に示される通り、点灯回路ユニット５１ｅは、コネクタ５２３と点灯回路５２１の間に接続されたスイッチ５１９を備える。筐体５５ｅが照明取付器具に取り付けられたとき、押しボタンは、照明取付器具により押圧されてスイッチ５１９を閉じる。筐体５５ｅが照明取付器具から取り外されたとき、押しボタンは、照明取付器具による押圧の解除により、スイッチ５１９を開く。
【００５３】
照明取付器具に筐体５５ｅを取り付ける作業では、最初に、照明取付器具から引き出されたケーブルが点灯回路ユニット５１のコネクタ５２３に接続される。このとき、筐体５５ｅは照明取付器具にまだ取り付けられていないので、スイッチ５１９は開いている。すなわち、電力は点灯回路５２１にまだ投入されていない。その後、筐体５５ｅが照明取付器具に取り付けられる。このとき、スイッチ５１９が閉じられ、電力が点灯回路５２１に投入される。すなわち、光源装置５ｅは、筐体５５ｅの照明取付器具への取り付けに連動して電力を点灯回路５２１に投入するというインターロック機構を備える。これにより、筐体５５を照明取付器具に着脱する作業の安全性を高めることができる。
【００５４】
押しボタンは、貫通孔５３７を通じて外部からアクセス可能であれば、貫通孔５３７を通じて突出する必要はない。例えば、押しボタンが、筐体５５ｅ内に配され、貫通孔５３７を通じて筐体５５ｅ内に侵入する照明取付器具の突起により押圧されることとしてもよい。押しボタンを筐体５５ｅ内に配置することで、押しボタンを保護することができ、押しボタンの故障を回避または低減することができる。
【００５５】
スイッチ５１９は、２線を開閉するスイッチであるが、これに限らず、３線を開閉するスイッチであってもよい。
【００５６】
＜第２実施形態の変形例＞
図９に示される点灯回路ユニット５１ｆは、インターロック機構を実現する電子部品として、スイッチ５２７および制御部５３１を備える。スイッチ５２７は、コネクタ５２３と点灯回路５２１の間に接続される。制御部５３１は、照明取付器具に具備されたセンサ５２９から送信された信号に基づいてスイッチ５２７の開閉を制御する。センサ５２９は、機械的、電気的、磁気的、光学的、その他の物理的手段により、筐体５５の照明取付器具への取り付け、筐体５５の照明取付器具からの取り外し、または、その両方を検出する。
【００５７】
センサ５２９は、一例として、押しボタンを有するスイッチである。筐体５５が照明取付器具に取り付けられたとき、押しボタンは、筐体５５から押圧され、制御部５３１にオン信号を供給する。筐体５５が照明取付器具から取り外されたとき、押しボタンは、筐体５５による押圧の解除により、制御部５３１にオフ信号を供給する。オン信号およびオフ信号は、例えば、電流信号である。例えば、閾値よりも大きな電流をオン信号とし、ゼロ電流をオフ信号とすることができる。
【００５８】
センサ５２９は、別の例として、受光素子である。照明取付器具は、受光素子と、その受光素子に光線を照射する光源（発光素子）とを備える。筐体５５は、筐体５５が照明取付器具に取り付けられたとき、照明取付器具の光源から受光素子までの光路に挿入される遮光部を備える。筐体５５が照明取付器具に取り付けられたとき、受光素子は、光路への遮光部の挿入による受光量低下を検出し、制御部５３１にオン信号を供給する。筐体５５が照明取付器具から取り外されたとき、受光素子は、光路からの遮光部の退出による受光量増加を検出し、制御部５３１にオフ信号を供給する。
【００５９】
なお、ここではセンサ５２９は照明取付器具側に具備されているとしたが、筐体５５側に具備されているとしてよいし、発光素子又は受光素子を照明取付器具側に、受光素子又は発光素子を筐体側にそれぞれ具備するとしてもよい。
【００６０】
図１０に示される点灯回路ユニット５１ｇは、インターロック機構を実現する電子部品として、コネクタ５２３を備える。照明取付器具は、コネクタ５２３に適合するコネクタ受け部５３５を備える。つまり、ここでの電気接続は挿抜タイプのコネクタを利用している。コネクタ５２３は、筐体５５に固定され、筐体５５の外部に露出する。コネクタ受け部５３５は、照明取付器具に固定され、照明取付器具の外部に露出する。コネクタ５２３は、筐体５５が照明取付器具に取り付けられた状態において、コネクタ受け部５３５に面し、コネクタ受け部５３５に受け入れられる。コネクタ５２３のコネクタ受け部５３５に対する挿抜方向は、筐体５５の照明取付器具に対する着脱方向と略一致する。
【００６１】
好ましくは、コネクタ５２３は、コネクタ受け部５３５に挿入される際に、最初にアース線を接続し、次に電力線を接続する。これを実現するため、例えば、コネクタ５２３は、アース線用のオス型ピンと電力線用のオス型ピンを有する。アース線用のオス型ピンは、電力線用のオス型ピンよりも長い。これにより、筐体５５を照明取付器具に着脱する作業の安全性をより高めることができる。
【００６２】
なお、ここではオス型のコネクタが筐体に、メス型のコネクタ受け部が照明取付器具にそれぞれ設けられているが、オス型のコネクタが照明取付器具に、メス型のコネクタ受け部が筐体にそれぞれ設けられてもよい。さらに、コネクタ受け部５３５のアース線用の接続点を受入口に最も近くして、最初にアース線が接続するようにしてもよい。
【００６３】
＜その他＞
インターロック機構に着目すると、点灯回路ユニットは筐体の外部に位置してもよい。
図１１に示される光源装置５ｈでは、点灯回路ユニット５１は、筐体５５ｈの外部に位置し、回路ケース５１６に収容される。スイッチ５１９の押しボタンが、回路ケース５１６の貫通孔５３９を通じて外部に突出する。光源装置５ｈは、インターロック機構を備える。これにより、筐体５５ｈを照明取付器具に着脱する作業の安全性を高めることができる。なお、回路ケースについては樹脂製でも金属製でもよい。
【００６４】
図１２（ｃ）に示される光源装置５ｉでは、スイッチの押しボタンが、回路ケース５１６内において、回路ケース５１６の貫通孔５４１を通じて外部からアクセス可能な位置に配されている。図１２（ａ）および図１２（ｂ）に示される照明取付器具３は、長尺状の裏板３０５、裏板の両側に連なる２枚の側板３０３、および、裏板３０５の長手方向の両端にそれぞれ配された端部カバー３２を備える。裏板３０５は、ケーブル用の貫通孔３０７、および、ねじ用の貫通孔３０９を有する。照明取付器具３は、さらに、その側板３０３に設置された操作具３３を備える。なお、照明取付器具（３）と光源装置（５ｉ）とで、照明装置が構成される。
【００６５】
図１３に示される通り、操作具３３は、筐体３３１および円弧状アーム３３３を備える。筐体３３１は、その底面３３５に円弧状長孔３３７を有する。筐体３３１は、さらに、その側面３３９にアーム用貫通孔３４１を有する。円弧状アーム３３３は、筐体３３１に保持され、円弧の中心を軸として回転可能である。円弧状アーム３３３は、円弧状長孔３３７を通じて外部に突出するつまみ３４３を有する。つまみ３４３が第１位置３４５に位置するとき、アーム先端部３４９は筐体３３１の側面３３９と面一になる。つまみ３４３が第２位置３４７に位置するとき、アーム先端部３４９はアーム用貫通孔３４１を通じて外部に突出する。
【００６６】
図１２（ｃ）に戻り、筐体５５ｉが照明取付器具３に取り付けられた状態では、操作具３３が、点灯回路ユニットの近くに位置する。ユーザーが操作具３３のつまみ３４３を第１位置３４５から第２位置３４７に移動させると、アーム先端部３４９が回路ケース５１６の貫通孔５４１を通じて回路ケース５１６内に侵入する。これにより、スイッチの押しボタンが押圧される。
【００６７】
このように操作具３３を利用することで、電源を点灯回路に投入するタイミングを、筐体５５ｉを照明取付器具３に取り付けるタイミングよりも遅らせることができる。また、アーム先端部３４９が回路ケース５１６の貫通孔５４１から抜けた状態でなければ筺体５５ｉを照明取付器具３から外すことができないので、スイッチへの押圧が解除された状態でのみ筺体５５ｉの取り外しが可能となる。これにより、筐体５５ｉを照明取付器具に着脱する作業の安全性をより高めることができる。
なお、点灯回路ユニットを内部に収容する筐体に設けることとしてもよい。
【符号の説明】
【００６８】
３      照明取付器具
５      光源装置
５０ａ    第１光源ユニット
５０ｂ    第２光源ユニット
５１      点灯回路ユニット
５５      筐体
【図１】
2019021475.tif 000003
【図２】
2019021475.tif 000004
【図３】
2019021475.tif 000005
【図４】
2019021475.tif 000006
【図５】
2019021475.tif 000007
【図６】
2019021475.tif 000008
【図７】
2019021475.tif 000009
【図８】
2019021475.tif 000010
【図９】
2019021475.tif 000011
【図１０】
2019021475.tif 000012
【図１１】
2019021475.tif 000013
【図１２】
2019021475.tif 000014
【図１３】
2019021475.tif 000015